(57)【要約】ワイヤレスドッキングステーションを用いて、知られていない周辺機器機能プロトコル（ＰＦＰ）をサポートするための方法、システム、およびデバイスが説明される。ワイヤレスドッキングステーションは、認識されているＰＦＰと認識されていないＰＦＰとの両方を用いる周辺機器とワイヤレスドッキーとの間の接続を容易にし得る。ドッキングステーションは、認識されていないＰＦＰを有する周辺機器に、１つ以上のサービス発見パラメータを要求し得る。ドッキングステーションは、それに応じて、サービス発見パラメータを受信し、受信された発見パラメータをワイヤレスドッキーへ伝送し、デバイスと周辺機器との間の発見および接続を容易にし得る。発見パラメータは、周辺機器機能、識別（identity）および位置に関する様々な識別子を含み得る。
2016532928.tif 000002
【特許請求の範囲】
【請求項１】
ワイヤレス通信のための方法であって、
ワイヤレスドッキングステーションによって、認識されていない周辺機器機能プロトコル（ＰＦＰ）を有する周辺デバイスに、少なくとも１つのサービス発見パラメータを要求することと、前記少なくとも１つのサービス発見パラメータは、トランスポートプロトコル識別子またはポート識別子を備える、
前記要求することに応答して、前記周辺デバイスから前記少なくとも１つのサービス発見パラメータを受信することと、
サービス発見情報をワイヤレスドッキーに送信することと、前記サービス発見情報は、前記周辺デバイスから受信された前記少なくとも１つのサービス発見パラメータに少なくとも部分的に基づく、
を備える、方法。
【請求項２】
前記ワイヤレスドッキングステーションにおいて、前記少なくとも１つのサービス発見パラメータをリパッケージすることによって、前記サービス発見情報を生成すること
をさらに備える、請求項１に記載の方法。
【請求項３】
前記サービス発見情報に少なくとも部分的に基づいて、前記ワイヤレスドッキーと前記周辺デバイスとの間の接続を容易にすることをさらに備える、請求項１に記載の方法。
【請求項４】
前記認識されていないＰＦＰは、プロプライエタリＰＦＰを備える、請求項１に記載の方法。
【請求項５】
前記周辺デバイスからの前記少なくとも１つのサービス発見パラメータは、前記トランスポートプロトコル識別子と前記ポート識別子との両方を備える、請求項１に記載の方法。
【請求項６】
前記周辺デバイスからの前記少なくとも１つのサービス発見パラメータはさらに、
前記周辺デバイスに関連する認識されていないＰＦＰのＰＦＰ名、前記周辺デバイスに関連する広告識別子、前記周辺デバイスに関連するサービス名、前記周辺デバイスに関連するネットワークアドレス、前記周辺デバイスに関連するアプリケーションサービス情報データ、または前記周辺デバイスに関連するネットワーク役割のうちの少なくとも１つを備える、請求項１に記載の方法。
【請求項７】
ワイヤレスドッキングステーション装置であって、
認識されていない周辺機器機能プロトコル（ＰＦＰ）を有する周辺デバイスに、少なくとも１つのサービス発見パラメータを要求するように構成されるパラメータリクエスタと、前記少なくとも１つのサービス発見パラメータは、トランスポートプロトコル識別子またはポート識別子を備える、
前記パラメータリクエスタからの要求に応答して、前記周辺デバイスから前記少なくとも１つのサービス発見パラメータを受信するように構成されるパラメータ受信機と、
サービス発見情報をワイヤレスドッキーに送信するように構成される送信機と、前記サービス発見情報は、前記周辺デバイスから受信された前記少なくとも１つのサービス発見パラメータに少なくとも部分的に基づく、
を備える、ワイヤレスドッキングステーション装置。
【請求項８】
前記ワイヤレスドッキングステーション装置において、前記少なくとも１つのサービス発見パラメータをリパッケージすることによって、前記サービス発見情報を生成するように構成されるパラメータリパッケージャをさらに備える、請求項７に記載のワイヤレスドッキングステーション装置。
【請求項９】
前記サービス発見情報に少なくとも部分的に基づいて、前記ワイヤレスドッキーと前記周辺デバイスとの間の接続を容易にするように構成されるアンテナ
をさらに備える、請求項７に記載のワイヤレスドッキングステーション装置。
【請求項１０】
前記認識されていないＰＦＰは、プロプライエタリＰＦＰを備える、請求項７に記載のワイヤレスドッキングステーション装置。
【請求項１１】
ワイヤレスドッキングステーション装置であって、
認識されていない周辺機器機能プロトコル（ＰＦＰ）を有する周辺デバイスに、少なくとも１つのサービス発見パラメータを要求するための手段と、前記少なくとも１つのサービス発見パラメータは、トランスポートプロトコル識別子またはポート識別子を備える、
要求に応答して、前記周辺デバイスから前記少なくとも１つのサービス発見パラメータを受信するための手段と、
サービス発見情報をワイヤレスドッキーに送信するための手段と、前記サービス発見情報は、前記周辺デバイスから受信された前記少なくとも１つのサービス発見パラメータに少なくとも部分的に基づく、
を備える、ワイヤレスドッキングステーション装置。
【請求項１２】
前記ワイヤレスドッキングステーション装置において、前記少なくとも１つのサービス発見パラメータをリパッケージすることによって、前記サービス発見情報を生成するための手段
をさらに備える、請求項１１に記載のワイヤレスドッキングステーション装置。
【請求項１３】
前記サービス発見情報に少なくとも部分的に基づいて、前記ワイヤレスドッキーと前記周辺デバイスとの間の接続を容易にするための手段
をさらに備える、請求項１１に記載のワイヤレスドッキングステーション装置。
【請求項１４】
前記認識されていないＰＦＰは、プロプライエタリＰＦＰを備える、請求項１１に記載のワイヤレスドッキングステーション装置。
【請求項１５】
前記周辺デバイスからの前記少なくとも１つのサービス発見パラメータは、前記トランスポートプロトコル識別子と前記ポート識別子との両方を備える、請求項１１に記載のワイヤレスドッキングステーション装置。
【請求項１６】
前記周辺デバイスからの前記少なくとも１つのサービス発見パラメータはさらに、前記周辺デバイスに関連する認識されていないＰＦＰのＰＦＰ名、前記周辺デバイスに関連する広告識別子、前記周辺デバイスに関連するサービス名、前記周辺デバイスに関連するネットワークアドレス、前記周辺デバイスに関連するアプリケーションサービス情報データ、または前記周辺デバイスに関連するネットワーク役割のうちの少なくとも１つを備える、請求項１１に記載のワイヤレスドッキングステーション装置。
【請求項１７】
コンピュータプログラム製品であって、
コンピュータ読み取り可能なプログラムコードを組み込んだ非一時的なコンピュータ読み取り可能な媒体を備え、前記コンピュータ読み取り可能なプログラムコードは、少なくとも１つのプロセッサに、
認識されていない周辺機器機能プロトコル（ＰＦＰ）を有する周辺デバイスに、少なくとも１つのサービス発見パラメータを要求することと、前記少なくとも１つのサービス発見パラメータは、トランスポートプロトコル識別子またはポート識別子を備える、
前記要求に応答して、前記周辺デバイスから前記少なくとも１つのサービス発見パラメータを受信することと、
サービス発見情報をワイヤレスドッキーに送信することと、前記サービス発見情報は、前記周辺デバイスから受信された前記少なくとも１つのサービス発見パラメータに少なくとも部分的に基づく、
を行わせるように構成される、コンピュータプログラム製品。
【請求項１８】
前記コンピュータ読み取り可能なプログラムコードはさらに、
前記少なくとも１つのサービス発見パラメータをリパッケージすることによって、前記サービス発見情報を生成するように構成される、請求項１７に記載のコンピュータプログラム製品。
【請求項１９】
前記コンピュータ読み取り可能なプログラムコードはさらに、
前記サービス発見情報に少なくとも部分的に基づいて、前記ワイヤレスドッキーと前記周辺デバイスとの間の接続を容易にするように構成される、請求項１７に記載のコンピュータプログラム製品。
【請求項２０】
前記認識されていないＰＦＰは、プロプライエタリＰＦＰを備える、請求項１７に記載のコンピュータプログラム製品。
【発明の詳細な説明】
【相互参照】
【０００１】
[0001]  本特許出願は、Ｈｕａｎｇらによって「Supporting Unrecognized Protocol in Wireless Docking」と題されて２０１４年３月２５日に出願された、米国特許出願番号第１４／２２４，４５１、Ｈｕａｎｇらによって「Supporting Unrecognized PFPs in Wireless Docking」と題されて２０１３年１０月９日に出願された米国特許仮出願番号第６１／８８９，０１４、およびＨｕａｎｇらによって「Supporting Unrecognized PFPs in Wireless Docking」と題されて２０１３年１１月１１日に出願された米国特許仮出願番号第６１／９０２，５１９に優先権を主張し、それらの各々は、本願の譲渡人に譲渡されている。
【背景技術】
【０００２】
[0002]  以下は、一般に、ワイヤレス通信に関し、より具体的には、電子デバイスのためのワイヤレスドッキングステーションに関する。ワイヤレスドッキングステーションはまた、ドッキングステーション、ワイヤレスドッキングセンター、またはドックとも呼ばれ、コンピュータを、モニタ、キーボード、マウス、プリンタ、スキャナ、カメラ等を含む様々な周辺デバイスへ接続するために使用され得る。ドッキングステーションは、ラップトップコンピュータ、ノートブックコンピュータ、ネットブック、タブレット、スマートフォン、ＰＤＡ、および他の同様の電子デバイスとの通信を容易にするために、またはそれらと併せて、使用され得る。
【０００３】
[0003]  いくつかの場合には、ドッキングステーションは、ドッキングステーションに知られている（known to）周辺機器機能プロトコル（ＰＦＰ：peripheral function protocol）を使用して、周辺機器と通信することが可能である。しかし時に、周辺機器は、ドッキングステーションに知られていない（unknown to）ＰＦＰ（例えば、プロプライエタリＰＦＰ（proprietary PFPs））を用い得る。そのような場合、知られていないＰＦＰにも関わらず、ドッキングステーションが、周辺機器からある特定の情報を集めて、その情報を別のデバイスへ伝送（convey）することが有益であり得る。
【発明の概要】
【０００４】
[0004]  説明される特徴は、一般に、ドッキングステーションを用いて知られていないＰＦＰをサポートするための１つ以上の方法、システムおよび装置に関する。ドッキングステーションは、知られていないＰＦＰを有する周辺機器に１つ以上のサービス発見パラメータを要求し得、ドッキングステーションは、電子デバイスと周辺機器との間の発見および接続を容易にするために、それらのパラメータをデバイスに伝送し得る。
【０００５】
[0005]  説明される方法および装置の適用可能性のさらなる範囲が、以下の詳細な説明、特許請求の範囲、および図面から明らかになることになる。詳細な説明および具体的な例は、この説明の範囲内での様々な変更および修正は当業者に明らかとなるであろうから、単に例として与えられているだけのものである。
【０００６】
[0006]  例示的な実施形態のあるセットによれば、ワイヤレス通信のための方法は、ワイヤレスドッキングステーションによって、認識されていない周辺機器機能プロトコルを有する周辺デバイスにサービス発見パラメータを要求することであって、そのパラメータは、トランスポートプロトコル識別子またはポート識別子を備えることと、その要求に応答して周辺デバイスからパラメータを受信することと、サービス発見情報をワイヤレスドッキーに送信することであって、ここで、サービス発見情報は、周辺デバイスから受信されたパラメータに少なくとも部分的に基づくことと、を含み得る。ある特定の例では、サービス発見情報は、ワイヤレスドッキングステーションにおいてそのパラメータをリパッケージすること（repackaging）によって生成され得る。
【０００７】
[0007]  ある特定の例では、ワイヤレスドッキングステーションは、サービス発見情報に少なくとも部分的に基づいて、ワイヤレスドッキーと周辺デバイスとの間の接続を容易にし得る。ある特定の例では、認識されていないプロトコルは、プロプライエタリ周辺機器機能プロトコル（ＰＦＰ）を含み得る。ある特定の例では、周辺デバイスからのパラメータは、トランスポートプロトコル識別子とポート識別子との両方を含み得る。
【０００８】
[0008]  ある特定の例では、パラメータは、周辺デバイスに関連する認識されていないＰＦＰのＰＦＰ名、周辺デバイスに関連する広告識別子、周辺デバイスに関連するサービス名、周辺デバイスに関連するネットワークアドレス、周辺デバイスに関連するアプリケーションサービス情報データ、または周辺デバイスに関連するネットワーク役割のうちの少なくとも１つを含み得る。
【０００９】
[0009]  例示的な実施形態の第２のセットによれば、ワイヤレスドッキングステーション装置は、認識されていない周辺機器機能プロトコルを有する周辺デバイスにサービス発見パラメータを要求するように構成されるパラメータリクエスタであって、そのパラメータは、トランスポートプロトコル識別子またはポート識別子を備えるリクエスタと、リクエスタからの要求に応答して周辺デバイスからサービス発見パラメータを受信するように構成されるパラメータ受信機と、サービス発見情報をワイヤレスドッキーに送信するように構成され、そのサービス発見情報は周辺デバイスから受信されたパラメータに少なくとも部分的に基づく送信機と、を含み得る。
【００１０】
[0010]  ある特定の例では、ワイヤレスドッキングステーション装置は、例示的な実施形態の第１のセットに関して上述した方法の１つ以上の態様をインプリメントし得る。例えば、この装置は、例示的な実施形態の第１のセットに関して上述した方法の複数の例のうちの１つ以上をインプリメントするように構成される追加的なモジュールおよび／またはプロセッサを含み得る。
【００１１】
[0011]  例示的な実施形態の第３のセットによれば、ワイヤレスドッキングステーション装置は、認識されていない周辺機器機能プロトコルを有する周辺デバイスにサービス発見パラメータを要求するための手段であって、そのパラメータは、トランスポートプロトコル識別子またはポート識別子を備える手段と、その要求に応答して周辺デバイスからパラメータを受信するための手段と、サービス発見情報をワイヤレスドッキーに送信するための手段であって、そのサービス発見情報は周辺デバイスから受信されたパラメータに少なくとも部分的に基づく手段と、を含み得る。
【００１２】
[0012]  ある特定の例では、ワイヤレスドッキングステーション装置は、例示的な実施形態の第１のセットに関して上述した方法の１つ以上の態様をインプリメントし得る。例えば、ワイヤレスドッキングステーションは、例示的な実施形態の第１のセットに関して上述した方法の複数の例のうちの１つ以上をインプリメントするための手段を含み得る。
【００１３】
[0013]  例示的な実施形態の第４のセットによれば、コンピュータプログラム製品は、コンピュータ読み取り可能なプログラムコードを組み込んだ非一時的なコンピュータ読み取り可能な媒体を含み得る。このコンピュータ読み取り可能なプログラムコードは、プロセッサに、認識されていない周辺機器機能プロトコルを有する周辺デバイスにサービス発見パラメータを要求することであって、そのパラメータは、トランスポートプロトコル識別子またはポート識別子を備えることと、その要求に応答して周辺デバイスからパラメータを受信することと、発見情報をワイヤレスドッキーに送信することであって、その発見情報は、周辺デバイスから受信されたパラメータに少なくとも部分的に基づくことと、を行わせるように構成され得る。
【００１４】
[0014]  ある特定の例では、コンピュータプログラム製品は、例示的な実施形態の第１のセットに関して上述した方法のうちの１つ以上の態様をインプリメントし得る。例えば、コンピュータ読み取り可能なプログラムコードは、プロセッサに、例示的な実施形態の第１のセットに関して上述した方法の複数の例のうちの１つ以上をインプリメントさせ得る。
【００１５】
[0015]  説明される方法および装置の適用可能性のさらなる範囲が、以下の詳細な説明、特許請求の範囲、および図面から明らかになることになる。詳細な説明および具体的な例は、この説明の範囲内での様々な変更および修正は当業者に明らかとなるであろうから、単に例として与えられているだけのものである。
【００１６】
[0016]  本発明の特性および利点のさらなる理解は、以下の図面を参照することによって実現され得る。添付の図面では、同様の構成要素または特徴は、同じ参照ラベルを有し得る。さらに、同じタイプの様々な構成要素は、参照ラベルの後に、ダッシュと、同様の構成要素同士を区別する第２のラベルとを続けることによって区別され得る。明細書における例に、第１の参照ラベルのみの場合、その説明は、第２の参照ラベルに関係なく、同じ第１の参照ラベルを有する同様の構成要素の何れにも適用可能である。
【図面の簡単な説明】
【００１７】
【図１】[0017]  図１は、本開示の様々な態様に従って、ワイヤレス通信システムのブロック図を示す。
【図２】[0018]  図２は、本開示の様々な態様に従って、ワイヤレス通信システムのブロック図を示す。
【図３】[0019]  図３は、本開示の様々な態様に従って、ワイヤレス通信システムにおける通信を例示する呼フローダイアグラムを示す。
【図４】[0020]  図４は、本開示の様々な態様に従って、ワイヤレス通信システムにおける通信を例示する呼フローダイアグラムを示す。
【図５】[0021]  図５は、本開示の様々な態様に従って、ワイヤレス通信システムにおける通信を例示する呼フローダイアグラムを示す。
【図６】[0022]  図６は、本開示の様々な態様に従って、ワイヤレスネットワークにおける通信のために構成されるデバイスのブロック図を示す。
【図７】[0023]  図７は、本開示の様々な態様に従って、ワイヤレス通信システムのブロック図を示す。
【図８】[0024]  図８は、本開示の様々な態様に従って、ワイヤレス通信のための例示的な方法のフローチャート図を示す。
【図９】[0025]  図９は、本開示の様々な態様に従って、ワイヤレス通信のための例示的な方法のフローチャート図を示す。
【詳細な説明】
【００１８】
[0026]  ワイヤレスドッキングにおいて知られていないＰＦＰをサポートするための方法、システム、および装置が開示される。ドッキングステーションは、知られていないＰＦＰを有する周辺機器に１つ以上のサービス発見パラメータを要求し得る。ドッキングステーションは、電子デバイスと周辺機器との間の発見および接続を容易にするために、それらのパラメータをデバイスに伝送し得る。
【００１９】
[0027]  ここに説明される、知られていないＰＦＰをサポートするための様々な技法は、一般にＷＬＡＮまたはＷｉ−Ｆｉネットワークに関して説明される。ＷＬＡＮまたはＷｉ−Ｆｉネットワークは、例えば、様々なＩＥＥＥ８０２．１１規格（例えば、ＩＥＥＥ８０２．１１ａ／ｇ、８０２．１１ｎ、８０２．１１ａｃ、８０２．１１ａｄ、８０２．１１ａｈなど）において説明されるプロトコルに基づくネットワークを指し得る。しかしながら、同じまたは同様の技法もまた、任意のワイヤレスネットワーク（例えば、セルラネットワーク）において使用され得る。例えば、同じまたは同様の技法が、セルラワイヤレスシステム、ピアツーピアワイヤレス通信、アドホックネットワーク、衛星通信システム、およびその他のシステムなどの様々なワイヤレス通信システムのために使用され得る。「システム」および「ネットワーク」という用語は、しばしば交換可能に使用される。これらワイヤレス通信システムは、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、単一キャリアＦＤＭＡ（ＳＣ−ＦＤＭＡ）のような様々な無線通信技術、および／または他の無線技術を用い得る。一般に、ワイヤレス通信は、無線アクセス技術（ＲＡＴ）と呼ばれる１つ以上の無線通信技術の標準化されたインプリメンテーションに従って実施される。無線アクセス技術をインプリメントするワイヤレス通信システムまたはネットワークは、無線アクセスネットワーク（ＲＡＮ）と呼ばれ得る。
【００２０】
[0028]  ＣＤＭＡ技法を用いる無線アクセス技術の例には、ＣＤＭＡ２０００、ユニバーサル地上無線アクセス（ＵＴＲＡ）等がある。ＣＤＭＡ２０００は、ＩＳ−２０００、ＩＳ−９５、およびＩＳ−８５６規格をカバーする。ＩＳ−２０００リリース０およびＡは、一般的に、ＣＤＭＡ２０００  １Ｘ、１Ｘ等と称される。ＩＳ−８５６（ＴＩＡ−８５６）は、一般的に、ＣＤＭＡ２０００  １ｘＥＶ−ＤＯや、高速パケットデータ（ＨＲＰＤ）、等と称される。ＵＴＲＡは、広帯域−ＣＤＭＡ（ＷＣＤＭＡ（登録商標））およびＣＤＭＡの他の変形を含む。ＴＤＭＡシステムの例には、移動体通信のためのグローバルシステム（ＧＳＭ（登録商標））の様々なインプリメンテーションがある。ＯＦＤＭおよび／またはＯＦＤＭＡを用いる無線アクセス技術の例には、ウルトラモバイルブロードバンド（ＵＭＢ）、発展型ＵＴＲＡ（Ｅ−ＵＴＲＡ）、Ｗｉ−Ｆｉ、ＩＥＥＥ  ８０２．１６（ＷｉＭＡＸ）、ＩＥＥＥ  ８０２．２０、フラッシュ−ＯＦＤＭ等がある。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰ（登録商標）ロングタームエボリューション（ＬＴＥ（登録商標））およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナシッププロジェクト」（３ＧＰＰ）と名付けられた組織からの文書に説明されている。ＣＤＭＡ２０００およびＵＭＢは、「第３世代パートナシッププロジェクト２」（３ＧＰＰ２）と名付けられた組織からの文書に説明されている。ここに説明される技法は、上述されたシステムおよび無線技術、ならびに他のシステムおよび無線技術のために使用され得る。
【００２１】
[0029]  したがって、以下の説明は例を提供するものであり、特許請求の範囲に記載される構成、適用可能性、または範囲を限定するものではない。本開示の範囲から逸脱することなく、説明されるエレメントの機能および配置（arrangement）に変更が成され得る。様々な実施形態は、必要に応じて、様々なプロシージャまたは構成要素を省略、代用、または追加し得る。例えば、説明される方法は、説明される順序とは異なる順序で実行され得、また様々なステップが追加、省略、または組み合わせられ得る。また、ある特定の実施形態に関して説明される複数の特徴は、他の実施形態においては組み合わせられ得る。
【００２２】
[0030]  まず図１を参照すると、ブロック図は、様々な実施形態に従って、ワイヤレス通信システム１００を例示する。システム１００は、ワイヤレスドッキングステーション１０５、周辺デバイス１１０およびワイヤレスドッキー１１５を含む。周辺デバイス１１０は、各々が１つ以上の周辺機器機能（peripheral functions）を有する電子デバイスであり得る。例えば、周辺デバイス１１０−ａは、グラフフィカルユーザインタフェース上でポインタを制御する周辺機器機能を有するマウスであり得る。いくつかの実施形態では、周辺デバイス１１０−ｂは、ユーザ入力という周辺機器機能を有するキーボードである。周辺デバイス１１０−ｃは、例えば、プリントすることおよびスキャンすることという周辺機器機能を有するマルチ機能プリンタであり得る。追加的にまたは代替的に、ワイヤレスドッキングステーション１０５は、周辺デバイス１１０−ｄ等の組込まれた周辺機器（embedded peripherals）を含み得る。周辺デバイス１１０のうちのいくつかまたは全ては、ワイヤレスドッキングステーション１０５に接続され得るおよび／またはそれと通信し得る。
【００２３】
[0031]  ワイヤレスドッキー１１５は、例えば、Ｗｉ−Ｆｉを利用して、ワイヤレスドッキングステーション１０５に無線で接続され得る。ワイヤレスドッキー１１５は、ワイヤレスドッキングステーション１０５を介して利用可能な周辺機器機能に少なくとも部分的に基づいて、ワイヤレスドッキングステーション１０５を探し出す（seek out）またはそれに接続し得る。このようにして、ワイヤレスドッキングステーション１０５は、ワイヤレスドッキー１１５に利用可能な周辺機器機能を、従って、周辺デバイスを、広告（advertise）し得る。ワイヤレスドッキングステーション１０５にひとたび接続される（例えば、ドッキングされる）と、ワイヤレスドッキー１１５は、ワイヤレスドッキングステーション１０５を通して利用可能な周辺機器機能を活用し得る。
【００２４】
[0032]  ワイヤレスドッキングステーション１０５は、多様な、知られているおよび／または共通のＰＦＰ（known and/or common PFPs）をサポートし得る。例えば、ワイヤレスドッキングステーション１０５は、ミラキャスト、ユニバーサルシリアルバス（ＵＳＢ）、ＩＥＥＥ  ８０２．１１ａｄ（「ＷｉＧｉｇ」）、ユニバーサルプラグアンドプレイ（ＵＰｎＰ）、および／またはＷｉ−Ｆｉダイレクトサービスアプリケーションサービスプラットフォーム（ＷＦＤＳ  ＡＳＰ）をサポートし得る。周辺機器１１０のうちのいくつかは、そのような、知られているＰＦＰを用い得、よってワイヤレスドッキングステーション１０５は、これら周辺機器１１０に関係するサービス発見情報（発見情報とも呼ばれる）をワイヤレスドッキー１１５に容易に送信し得る。しかしながら、いくつかの場合には、周辺デバイス１１０は、知られていないＰＦＰを利用し得る。例えば、周辺デバイス１１０は、プロプライエタリＰＦＰを用い得る。そのため、ワイヤレスドッキングステーション１０５は、周辺デバイス１１０に１つ以上のサービス発見パラメータを要求し得る。
【００２５】
[0033]  次に図２に移って、ブロック図は、様々な実施形態に従って、ワイヤレス通信システム２００を示す。システム２００は、システム１００の複数の態様のうちの１つの例であり得る。システム２００は、ワイヤレスドッキングステーション１０５−ａ、周辺デバイス１１０−ｅ、およびワイヤレスドッキー１１５−ａを含む。これらの各々は、システム１００の対応するデバイスの例であり得る。
【００２６】
[0034]  いくつかの実施形態では、周辺デバイス１１０−ｅは、認識されていないまたは知られていないＰＦＰを有する周辺デバイスである。周辺デバイス１１０−ｅは、ワイヤレスドッキングステーション１０５−ａの外部にあり得る、または、それはワイヤレスドッキングステーション１０５−ａに埋め込まれ得る。ワイヤレスドッキングステーション１０５−ａは、周辺デバイス１１０−ｅに、トランスポートプロトコル識別子またはポート識別子あるいはその両方を含んだサービス発見パラメータを要求し得る。周辺デバイス１１０−ｅは、要求されたサービス発見パラメータをワイヤレスドッキングステーション１０５−ａに送ることで応答し得る。今度は、ワイヤレスドッキングステーション１０５−ａは、周辺デバイス１１０−ｅに関連するサービス発見情報をワイヤレスドッキー１１５−ａに送信し得る。サービス発見情報は、受信されたサービス発見パラメータに少なくとも部分的に基づき得る。例えば、サービス発見情報は、受信されたサービス発見パラメータを含み得る。いくつかの実施形態では、ワイヤレスドッキングステーション１０５は、受信されたパラメータをリパッケージすることによってサービス発見情報を生成し、サービス発見情報をワイヤレスドッキー１１５に送信する。
【００２７】
[0035]  ワイヤレスドッキングステーション１０５−ａは、周辺デバイス１１０−ｅに、いくつかのサービス発見パラメータのうちの何れをも要求し得る。例として、ワイヤレスドッキングステーション１０５−ａは、ＰＦＰ名、広告識別子（advertisement identifier）、サービス名、ネットワークアドレス、アプリケーションサービス情報データ、またはネットワーク役割を要求し得る、あるいは、それはそのようなパラメータの如何なる組み合わせも要求し得る。ワイヤレスドッキングステーション１０５−ａは、任意のまたは全てのこれらのサービス発見パラメータを、それがワイヤレスドッキー１１５−ａに送信するサービス発見情報へ組み込み得る。いくつかの実施形態では、ワイヤレスドッキングステーション１０５−ａは、サービス発見情報に少なくとも部分的に基づいて、ワイヤレスドッキー１１５−ａと周辺デバイス１１０−ｅとの間の接続を容易にする。ワイヤレスドッキー１１５−ａはこのように、周辺デバイス１１０−ｅの認識されていないＰＦＰにも関わらず、ワイヤレスドッキングステーション１０５−ａによって提供されるサービス発見情報に少なくとも部分的に基づいて、周辺デバイス１１０−ｅの１つ以上の周辺機器機能と接続し得るおよびそれらを利用し得る。
【００２８】
[0036]  いくつかの場合には、ワイヤレスドッキングステーション１０５−ａはまた、認識されていないＰＦＰを使用する周辺デバイス１１０−ｅに、追加的な情報を提供することを要求し得る。例えば、周辺デバイス１１０−ｅが認識されていない（例えば、プロプライエタリ）ＰＦＰを用いる場合、ワイヤレスドッキングステーション１０５−ｅは、周辺デバイス１１０−ｅが認識されていないＰＦＰの名を提供することを要求し得る。周辺デバイス１１０−ｅは、ワイヤレスドッキングステーション１０５−ａ、周辺デバイス１１０−ｅ、および／またはワイヤレスドッキー１１５−ａによって利用されるおよび知られているネットワークプロトコルの固有のエレメントまたはサブエレメントにおける認識されていないＰＦＰの名を提供し得る。ワイヤレスドッキングステーション１０５−ａは今度は、認識されていないＰＦＰの名を、サービス発見情報の一部としてワイヤレスドッキー１１５−ａへ提供し得る。
【００２９】
[0037]  ワイヤレスドッキングステーション１０５−ａ、周辺デバイス１１０−ｅ、およびワイヤレスドッキー１１５−ａは、ＰＦＰパラメータおよび／またはサービス発見情報を要求および交換するために１つ以上のネットワーキングプロトコルを用い得る。様々な実施形態において、デバイスは、ＵＰｎＰ、ＷＦＤＳ  ＡＳＰ、および／または拡張可能なマークアップ言語（ＸＭＬ：Extensible Mark-up Language）を利用し得る。様々なパラメータおよびサービス発見情報は、このようにＸＭＬストリングまたはＷＦＤＳ  ＡＰＳのサブエレメントの固有のエレメントを占め得る。例として、ｓｉｍｐｌｅＸＭＬタイプ「ＰｆｐＮａｍｅ」は、ＰＦＰの名を識別（identify）し得る。ｓｉｍｐｌｅＸＭＬタイプ「ＰｆｐＮａｍｅＥｎｕｍ」は、標準ＰＦＰの名を識別し得、ｓｉｍｐｌｅＸＭＬタイプ「ＰｆｐＮａｍｅＡｎｙＳｔｒｉｎｇは、知られていないまたは認識されていないＰＦＰの名を識別し得る。ワイヤレスドッキングステーション１０５−ａはこのように、標準化された（standardized）ＰＦＰと非標準化された（non-standardized）（例えば、プロプライエタリ）ＰＦＰとの両方を広告し得る。
【００３０】
[0038]  図３は、様々な実施形態に従って、ワイヤレス通信システムにおける通信を例示する呼フローダイアグラム３００である。図３００は、図１および２を参照して説明されたシステム１００および２００の態様を例示し得る。図３００は、ワイヤレスドッキングステーション１０５−ｂ、周辺デバイス１１０−ｆ、およびワイヤレスドッキー１１５−ｂを含む。これらの各々は、システム１００および２００の対応するデバイスの例であり得る。
【００３１】
[0039]  ワイヤレスドッキングステーション１０５−ｂは、周辺デバイス１１０−ｆと通信３０５を確立し得る。周辺デバイス１１０−ｆは、ワイヤレスドッキングステーション１０５−ｂの外部にあり得るまたはそれに組込まれ得る。通信３０５を確立する際、ワイヤレスドッキングステーション１０５−ｂは、周辺デバイス１１０−ｆが認識されていないまたは知られていないＰＦＰを用いると決定し得る３１０。よってワイヤレスドッキングステーション１０５−ｂは、周辺デバイス１１０−ｆに、サービス発見情報またはパラメータを要求し得る３１５。周辺デバイス１１０−ｆがワイヤレスドッキングステーション１０５−ｂに組込まれている場合、ワイヤレスドッキングステーション１０５−ｂはまた、周辺デバイス１１０−ｆの使用を駆動（drive）するＰＦＰのパラメータを要求し得る。それに応じて、周辺デバイス１１０−ｆは、サービス発見情報またはパラメータを送信し得る３２０。組込まれた周辺デバイス１１０−ｆはまた、追加的なドライバパラメータを送信し得る。サービス発見情報を受信すると、ワイヤレスドッキングステーション１０５−ｂは、サービス発見情報３２５をワイヤレスドッキー１１５−ｂに送信し得る。サービス発見情報３２５は、例えば、トランスポートプロトコルまたはポート番号、あるいはその両方を含む。
【００３２】
[0040]    次に、図４は様々な実施形態に従って、ワイヤレス通信システムにおける通信を例示する呼フロー図４００を示す。図４００は、図１および２を参照して説明されたシステム１００および２００の態様を例示し得る。図４００は、ワイヤレスドッキングステーション１０５−ｃ、周辺デバイス１１０−ｇ、およびワイヤレスドッキー１１５−ｃを含む。これらの各々は、システム１００および２００の対応するデバイスの例であり得る。
【００３３】
[0041]  ワイヤレスドッキングステーション１０５−ｃは、周辺デバイス１１０−ｇと通信４０５を確立し得る。周辺デバイス１１０−ｇは、ワイヤレスドッキングステーション１０５−ｃの外部にあり得るまたはそれに組込まれ得る。通信４０５を確立すると、ワイヤレスドッキングステーション１０５−ｃは、周辺デバイス１１０−ｇが認識されていないまたは知られていないＰＦＰを用いると決定し得る４１０。よってワイヤレスドッキングステーション１０５−ｃは、サービス発見情報またはパラメータを要求し得る４１５。周辺デバイス１１０−ｇがワイヤレスドッキングステーション１０５−ｃに組込まれている場合、ワイヤレスドッキングステーション１０５−ｃはまた、周辺機器の使用を駆動するＰＦＰのパラメータを要求し得る。要求４１５は、ワイヤレスドッキングステーション１０５−ｃと周辺デバイス１１０−ｇとの両方にアプリオリに知られている（known a priori to）標準化されたフォーマットで作られ得る。それに応じて、周辺デバイス１１０−ｇは、サービス発見情報またはパラメータ４２０を送信し得る。組込まれた周辺デバイス１１０−ｇはまた、追加的なドライバパラメータを送信し得る。サービス発見情報４２０は、トランスポートプロトコル、ポート番号、広告アイデンティフィケーション（advertisement identification）、サービス名、ネットワークまたはＩＰアドレス、サービス情報、ネットワーク役割、または他の好適なパラメータのうちの１つ以上を含み得る。いくつかの実施形態では、サービス発見情報４２０は、ＰＦＰ名を含む。
【００３４】
[0042]  サービス発見パラメータの各々は、周辺デバイス１１０−ｇについての特定の情報を伝送し得る。例として、トランスポートプロトコルパラメータは、周辺デバイス１１０−ｇがどのトランスポートプロトコルを用いるかを指し、ポート番号は、周辺デバイス１１０−ｇが何れのＩＰポートを利用するかを示す。ＰＦＰ名は、周辺デバイス１１０−ｇが利用する認識されていないＰＦＰの名であり得る。広告アイデンティフィケーションは、周辺デバイス１１０−ｇが接続に利用可能であることのインジケーションであり得る。サービス名は、周辺デバイス１１０−ｇが提供する（offer）周辺機器機能の名を示し得る。いくつかの場合には、サービス情報は、周辺デバイス１１０−ｇの周辺機器機能についての情報を含む。ネットワークアドレスは、周辺デバイス１１０−ｇのＩＰアドレスであり得る。そして、いくつかの実施形態では、ネットワーク役割は、デバイスツーデバイス通信状況（device-to-device communication scenario）における周辺デバイス１１０−ｇの意図された役割である。例えば、ネットワーク役割は、周辺デバイス１１０−ｇが、それと別のデバイスとの間で、マスターまたはスレーブ役割を担う予定である（intends to assume a master or slave role）ことを示し得る。
【００３５】
[0043]  いくつかの実施形態では、ワイヤレスドッキングステーション１０５−ｃは、サービス発見情報（service discover information）をリパッケージ４２５し、そしてそれはサービス発見情報４３０をワイヤレスドッキー１１５−ｃに送信する。ワイヤレスドッキー１１５−ｃは、周辺デバイス１１０を選択するためにサービス発見情報を利用し得、ワイヤレスドッキー１１５−ｃは、周辺デバイス選択４３５をワイヤレスドッキングステーション１０５−ｃへ示し得る。いくつかの実施形態では、ワイヤレスドッキングステーション１０５−ｃは次に、ワイヤレスドッキー１１５−ｃと周辺デバイス１１０−ｇとの間の接続４４０を容易にする。
【００３６】
[0044]  図５は、様々な実施形態に従って、ワイヤレス通信システムにおける通信を例示する呼フロー図５００を示す。図５００は、図１および２を参照して説明されたシステム１００および２００の態様を例示し得る。図５００は、ワイヤレスドッキングステーション１０５−ｄ、周辺デバイス１１０−ｈおよび１１０−ｉ、ならびにワイヤレスドッキー１１５−ｄを含む。周辺デバイス１１０−ｈおよび１１０−ｉは、ワイヤレスドッキングステーション１０５−ｃの外部にあり得るまたはそれに組込まれ得る。これらの各々は、システム１００および２００の対応するデバイスの例であり得る。
【００３７】
[0045]  ワイヤレスドッキングステーション１０５−ｄは、周辺デバイス１１０−ｈと通信５０５を確立し得る。通信５０５を確立すると、ワイヤレスドッキングステーション１０５−ｄは、周辺デバイス１１０−ｈが利用するＰＦＰを認識し得る５１０。ワイヤレスドッキングステーション１０５−ｄはこのように、認識されているＰＦＰに従って、サービス発見情報５１５をワイヤレスドッキー１１５−ｄに伝送し得る。
【００３８】
[0046]  ワイヤレスドッキングステーション１０５−ｄはまた、周辺デバイス１１０−ｉと通信５２０を確立し得る。通信５２０を確立すると、ワイヤレスドッキングステーション１０５−ｄは、周辺デバイス１１０−ｉが認識されていないまたは知られていないＰＦＰを用いると決定し得る５２５。よってワイヤレスドッキングステーション１０５−ｄは、サービス発見情報またはパラメータを要求し得る５３０。周辺デバイス１１０−ｉがワイヤレスドッキングステーション１０５−ｄに組込まれている場合、ワイヤレスドッキングステーション１０５−ｄはまた、周辺デバイス１１０−ｉの使用を駆動するＰＦＰのパラメータを要求し得る。要求５３０は、非プロプライエタリフォーマット（non-proprietary format）であり得、それは、例えば、ワイヤレスドッキングステーション１０５−ｄと周辺デバイス１１０−ｉとの両方にアプリオリに知られている。それに応じて、周辺デバイス１１０−ｉは、サービス発見情報またはパラメータ５３５を送信し得る。組込まれた周辺デバイス１１０−ｉはまた、追加的なドライバパラメータを送信し得る。サービス発見情報５３５は、トランスポートプロトコル、ポート番号、ＰＦＰ名、広告アイデンティフィケーション、サービス名、ネットワークアドレス、サービス情報、ネットワーク役割、または他の好適なパラメータのうちの１つ以上を含み得る。ワイヤレスドッキングステーション１０５−ｄは、今度はサービス発見情報５５０をワイヤレスドッキー１１５−ｄに送信し得る。
【００３９】
[0047]  次に、図６は、様々な実施形態に従って、ワイヤレスネットワークにおける通信のために構成されるデバイス１０５−ｅのブロック図を示す。デバイス１０５−ｅは、ワイヤレスドッキングステーションであり得、それは前述の図面を参照して説明されたワイヤレスドッキングステーション１０５の例であり得る。デバイス１０５−ｅは、受信機モジュール６１０、サービス発見管理モジュール６１５、および送信機モジュール６２０を含み得る。これらモジュールの各々は、互いに通信し得る。いくつかの実施形態では、デバイス１０５−ｅは、プロセッサモジュール（示されていない）を含む。
【００４０】
[0048]  デバイス１０５−ｅの様々なモジュールは、ここに説明される機能を実行するための手段であり得る。例えば、送信機モジュール６２０は、１つ以上のサービス発見パラメータを求める要求を周辺デバイスに送信するように構成され得る。いくつかの実施形態では、受信機モジュールは、周辺デバイスから要求に応答して送信されたパラメータを受信するように構成される。サービス発見管理モジュール６１５は、受信されたパラメータをサービス発見情報としてパッケージ化するように構成され得る。そして、いくつかの場合には、送信機モジュール６２０は、サービス発見情報をワイヤレスドッキーに送信するようにさらに構成される。デバイス１０５−ｅは、外部の周辺デバイスおよび組込まれた周辺デバイスと通信し得る。
【００４１】
[0049]  いくつかの実施形態では、サービス発見管理モジュール６１５は、ワイヤレスドッキーと周辺デバイスとの間の接続を容易にするように構成される。サービス発見管理モジュール６１５は、受信機モジュール６１０および送信機モジュール６２０と組み合わせて、ワイヤレスドッキーから周辺機器入力／出力信号（peripheral input/output signals）を受信し、それらを周辺デバイスに送信し得る。同様に、デバイス１０５−ｅは、周辺デバイスから入力／出力信号を受信し、それらをワイヤレスドッキーに送信し得る。
【００４２】
[0050]  デバイス１０５−ｅの構成要素は、個別にまたは集合的に、ハードウェアにおいて適用可能な機能のいくつかまたは全てを実行するために適合された１つ以上のＡＳＩＣでインプリメントされ得る。あるいは、それら機能は、１つ以上の集積回路上で、１つ以上の他の処理ユニット（またはコア）によって実行され得る。他の実施形態において、他のタイプの集積回路が使用され得（例えば、構造化／プラットフォームＡＳＩＣ（Structured/Platform ASICs）、ＦＰＧＡ、および他のセミカスタムＩＣ）、これらは、当該技術分野で知られている如何なる方法によってもプログラムされ得る。各ユニットの機能はまた、全体的にあるいは部分的に、メモリ内に組み込まれている命令群でインプリメントされ、１または複数の汎用あるいは特定用途向けのプロセッサによって実行されるようにフォーマットされ得る。
【００４３】
[0051]  今度は図７に移り、それは、様々な実施形態に従って、ワイヤレス通信システム７００を示す。システム７００は、ワイヤレスドッキングステーション１０５−ｆ、周辺デバイス１１０−ｊ、およびワイヤレスドッキー１１５−ｅを含み得る。周辺デバイス１１０−ｊは、ワイヤレスドッキングステーション１０５−ｆの外部にあり得るが、いくつかの場合では、周辺デバイス１１０−ｊは、ワイヤレスドッキングステーション１０５−ｆに組込まれる。ドッキングステーション１０５−ｆは、先行する図１、２、３、４、５および／または６を参照して説明されたデバイス１０５の例であり得る。ドッキングステーション１０５−ｆは、プロセッサモジュール７０５、メモリモジュール７１０（ソフトウェアモジュール７１５を含む）、トランシーバモジュール７２０、アンテナ（１つまたは複数の）７２５、周辺デバイス通信モジュール７３０、ワイヤレスドッキー通信モジュール７３５、周辺機器機能露出（exposure）モジュール７４０、および接続管理モジュール７４５を含み得る。いくつかの実施形態では、トランシーバモジュール（１つまたは複数の）７２０は、送信機と称され得る。
【００４４】
[0052]  トランシーバモジュール７２０は、アンテナ（１つまたは複数の）７２５と併せて、ワイヤレスドッキー１１５−ｅおよび／または周辺デバイス（１つまたは複数の）１１０−ｊとのワイヤレス送信を容易にし得る。追加的にまたは代替的に、周辺デバイス通信モジュール７３０は、周辺デバイス１１０−ｊとの有線通信を容易にし得る。いくつかの実施形態では、ワイヤレスドッキー通信モジュール７３５は、ワイヤレスドッキー１１５−ｅとの有線通信を容易にする。例えば、ワイヤレスドッキー１１５−ｅは、ある特定の同期動作のために、有線を介してワイヤレスドッキングステーション１０５−ｆに一時的に接続され得る。
【００４５】
[0053]  周辺機器機能露出モジュール７４０は、周辺デバイス１１０−ｊの周辺機器機能を識別し得るまたはさもなければ決定し得る。周辺機器機能露出モジュール７４０は、ワイヤレスドッキングステーション１０５−ｆを介して利用可能な周辺機器機能の広告を容易にし得る。
【００４６】
[0054]  接続管理モジュール７４５は、ワイヤレスドッキー１１５−ｅと周辺デバイス１１０−ｊとの間の接続を容易にし得る。例えば、接続管理モジュール７４５は、トランシーバモジュール７２０と組み合わせて、ワイヤレスドッキーから周辺機器入力／出力信号を受信し、それらを周辺デバイスに送信し得る。同様に、接続管理モジュール７４５は、周辺デバイスから入力／出力信号を受信し、それらをワイヤレスドッキーに送信し得る。
【００４７】
[0055]  いくつかの実施形態では、ワイヤレスドッキングステーション１０５−ｆは、サービス発見管理モジュール６１５−ａを含む。サービス発見管理モジュール６１５−ａは、図６を参照して説明された対応するモジュールと、事実上同じ機能を実行し得る。例として、サービス発見管理モジュール６１５−ａは、接続されている周辺機器が、認識されているＰＦＰを使用しているか、または認識されていないＰＦＰを使用しているかを決定する。サービス発見管理モジュール６１５−ａはまた、認識されているＰＦＰモジュール７５０および認識されていないＰＦＰモジュール７５５を含み得る。認識されているＰＦＰモジュール７５０は、パラメータ決定モジュール７６０をさらに含み得る。いくつかの場合には、認識されているＰＦＰモジュール７５０は、接続されている周辺機器が認識されているＰＦＰを用いる時、動作するように構成される。それら周辺機器が、認識されているまたは知られているＰＦＰを用いる場合、パラメータ決定モジュール７６０は、ワイヤレスドッキーが周辺機器の発見に使用するためのパラメータを決定し得る。
【００４８】
[0056]  認識されていないＰＦＰモジュール７５５は、パラメータ要求モジュール７６５、パラメータ受信モジュール７７０、および／またはパラメータリパッケージングモジュール７７５を含み得る。これらのモジュールは、それぞれ、パラメータリクエスタ、パラメータ受信機、およびパラメータリパッケージャ（parameter repackager）と代替的に称され得る。いくつかの実施形態では、認識されていないＰＦＰモジュール７５５は、接続されている周辺機器が認識されていないＰＦＰを用いる時、動作するように構成される。それら周辺機器が、認識されていないまたは知られていないＰＦＰを用いる場合、パラメータ要求モジュール７６５は、例えば、トランシーバモジュール７２０を介して、周辺デバイスにサービス発見パラメータを要求し得る。パラメータ受信モジュール７７０は、要求に応答して、サービス発見パラメータを受信し得る。パラメータリパッケージングモジュール７７５は、受信されたパラメータをパッケージ化し、それらが周辺機器発見での使用のためにワイヤレスドッキー１１５−ｅに送信されるように準備し得る。
【００４９】
[0057]  サービス発見管理モジュール６１５−ａの動作は、図３−５を参照することによってさらに理解され得る。例えば、サービス発見管理モジュール６１５−ａは、呼フロー図５００と事実上同様な呼フローシーケンスをインプリメントするように構成され得る。
【００５０】
[0058]  メモリモジュール７１０は、ランダムアクセスメモリ（ＲＡＭ）および読取専用メモリ（ＲＯＭ）を含み得る。メモリモジュール７１０は、実行された時、プロセッサモジュール７０５に、ここで説明された様々な機能（例えば、サービス発見パラメータを要求すること、受信すること、および送信すること等）を実行させるように構成された命令を含むコンピュータ読み取り可能な、コンピュータ実行可能なソフトウェア／ファームウェアコード７１５を記憶し得る。代替として、ソフトウェア／ファームウェアコード７１５は、プロセッサモジュール７０５によって直接的に実行可能でない場合があるが、（例えば、コンパイルおよび実行されたとき）コンピュータに、ここで説明された機能を実行させるように構成され得る。プロセッサモジュール７０５は、例えば、中央処理ユニット（ＣＰＵ）、マイクロコントローラ、特定用途向け集積回路（ＡＳＩＣ）等のインテリジェントハードウェアデバイスを含み得る。
【００５１】
[0059]  ワイヤレスドッキングステーション１０５−ｆのモジュールの各々は、例えば、通信バス７８０を介して互いに通信し得る。
【００５２】
[0060]  図８は、上述した原理の態様に従って、ワイヤレス通信のための例示的な方法８００のフローチャート図を示す。方法８００は、前述の図を参照して上述したワイヤレスドッキングステーション１０５の１つ以上によってインプリメントされ得る。ある特定の例では、図１−図７のワイヤレスドッキングステーション１０５、図６のモジュール６１０、６１５または６２０、および／または図７のモジュール７０５、７１０、７１５、７２０、７２５、７３０、７３５、７４０、７４５、７５０、７５５、７６０、７６５、７７０、７７５または６１５−ａのうちの１つ以上は、図８の方法８００に関連して例示されるブロック８０５、８１０、８１５を実行するための手段であり得る。
【００５３】
[0061]  ブロック８０５において、ワイヤレスドッキングステーションは、認識されていない周辺機器機能プロトコル（ＰＦＰ）を有する周辺デバイスにサービス発見パラメータを要求し得る。認識されていないＰＦＰは、ワイヤレスドッキングがよく知らない（unfamiliar）他のＰＦＰまたはプロプライエタリＰＦＰであり得る。パラメータは、周辺デバイスのためのトランスポートプロトコル識別子またはポート識別子を含み得る。ブロック８１０において、パラメータは、要求に応答して周辺デバイスから受信され得る。ブロック８１５において、サービス発見情報が、ワイヤレスドッキーに送信され得る。サービス発見情報は、周辺デバイスから受信されたパラメータに少なくとも部分的に基づき得る。
【００５４】
[0062]  図９は、上で説明した原理の態様に従って、ワイヤレス通信のための例示的な方法９００のフローチャート図を示す。方法９００は、図８を参照して上で説明した方法８００の例であり得る。方法９００は、前述の図を参照して上で説明したワイヤレスドッキングステーション１０５の１つ以上によってインプリメントされ得る。ある特定の例では、図１−図７のワイヤレスドッキングステーション１０５、図６のモジュール６１０、６１５または６２０、および／または図７のモジュール７０５、７１０、７１５、７２０、７２５、７３０、７３５、７４０、７４５、７５０、７５５、７６０、７６５、７７０、７７５または６１５−ａのうちの１つ以上は、図９の方法９００に関連して例示されるブロック９０５、９１０、９１５、９２０、９２５、９３０、９３５を実行するための手段であり得る。
【００５５】
[0063]  ブロック９０５において、ワイヤレスドッキングステーションは、周辺デバイスを検出し得る。ブロック９１０において、ワイヤレスドッキングステーションは、周辺デバイスによって用いられる周辺機器機能プロトコル（ＰＦＰ）が認識されているかどうかを決定し得る。
【００５６】
[0064]  ＰＦＰが認識されている（ブロック９１０、Ｙｅｓ）場合、ワイヤレスドッキングステーションは、検出された周辺デバイスおよび認識されているＰＦＰについての知られている情報に少なくとも部分的に基づいて、検出された周辺デバイスに関して、ブロック９１５において、サービス発見情報を生成し得る。検出された周辺デバイスに関する生成されたサービス発見情報は、ブロック９３０において、ワイヤレスドッキーに送信され得、ワイヤレスドッキングステーションは、ブロック９３５において、サービス発見情報に少なくとも部分的に基づいて、ワイヤレスドッキーと周辺デバイスとの間の接続を容易にし得る。
【００５７】
[0065]  ＰＦＰが認識されていない（ブロック９１０、Ｎｏ）場合、ワイヤレスドッキングステーションは、周辺デバイスに、ＰＦＰ名、周辺デバイスに関連する広告識別子、周辺デバイスに関連するサービス名、周辺デバイスに関連するインターネットプロトコル（ＩＰ）アドレスまたは他のネットワークアドレス、周辺デバイスに関連するトランスポートプロトコル（例えば、ユーザデータグラムプロトコル（ＵＤＰ）またはＩＰ）、周辺デバイスに関連するポート番号（例えば、ＩＰポート）、周辺デバイスに関連するサービス情報、周辺デバイスに関連するネットワーク役割あるいはその同等物のうちの１つ以上を要求し得る。ブロック９２５において、周辺デバイスから受信された、要求されたパラメータ（１つまたは複数の）に少なくとも部分的に基づいて、検出された周辺デバイスに関するサービス発見情報が生成され得る。ブロック９３０において、検出された周辺デバイスに関して生成されたサービス発見情報は、ワイヤレスドッキーに送信され得、ブロック９３５において、ワイヤレスドッキングステーションは、サービス発見情報に少なくとも部分的に基づいて、ワイヤレスドッキーと周辺デバイスとの間の接続を容易にし得る。
【００５８】
[0066]  添付の図面に関して上述された詳細な説明は、例示的な実施形態を説明しており、インプリメントされ得るまたは特許請求の範囲内にある唯一の実施形態（the only embodiments）を表してはいない。詳細な説明は、説明された技法の理解を提供する目的で、特定の詳細を含む。しかしながら、これらの技法は、これらの特定の詳細なしで実施され得る。いくつかの事例では、周知の構造およびデバイスは、説明された実施形態の概念を曖昧することを避けるために、ブロック図形式で示されている。
【００５９】
[0067]  情報および信号は、様々な異なる技術および技法のうちの任意のものを用いて表わされ得る。例えば、上の説明を通して言及され得たデータ、命令、コマンド、情報、信号、ビット、シンボルおよびチップは、電圧、電流、電磁波、磁場または磁性粒子、光場または光粒子、あるいはそれらの任意の組み合わせによって表され得る。
【００６０】
[0068]  本開示に関連して説明された様々な例示的なブロック、およびモジュールは、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェアコンポーネント、またはここに説明された機能を実施するように設計されたそれらの任意の組み合わせを用いてインプリメントまたは実行され得る。汎用プロセッサは、マイクロプロセッサであり得るが、別の方法では、プロセッサは、任意の従来のプロセッサ、コントローラ、マイクロコントローラ、またはステートマシンであり得る。プロセッサはまた、コンピューティングデバイスの組み合わせ、例えば、ＤＳＰと１つのマイクロプロセッサ、複数のマイクロプロセッサ、ＤＳＰコアと連携した１つまたは複数のマイクロプロセッサ、または任意の他のそのような構成との組み合わせとしてインプリメントされ得る。
【００６１】
[0069]  ここで説明された機能は、ハードウェア、プロセッサによって実行されるソフトウェア、ファームウェア、またはそれらの任意の組み合わせでインプリメントされ得る。プロセッサによって実行されるソフトウェアでインプリメントされる場合、機能は、コンピュータ読み取り可能な媒体上の１つ以上の命令またはコードとして記憶または送信され得る。他の例およびインプリメンテーションは、本開示および添付の特許請求の範囲内にある。例えば、ソフトウェアの性質により、上述された機能は、プロセッサによって実行されるソフトウェア、ハードウェア、ファームウェア、ハードワイヤリング、またはこれらのうちの任意のものの組み合わせを使用してもインプリメントされ得る。機能をインプリメントする特徴はまた、機能の一部が、異なる物理的位置においてインプリメントされるように分散されることを含め、様々なポジションに物理的に位置し得る。また、特許請求の範囲を含めて、ここで使用される場合、「のうちの少なくとも１つ（at least one of）」で終わる項目の列挙で使用される「または（ｏｒ）」は、例えば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するように、離接的な列挙（disjunctive list）を示す。
【００６２】
[0070]  コンピュータ読み取り可能な媒体は、１つの場所から別の場所へのコンピュータプログラムの転送を容易にする任意の媒体を含む、コンピュータ記憶媒体と通信媒体との両方を含む。記憶媒体は、汎用または専用コンピュータによってアクセスされることができる任意の利用可能な媒体であり得る。限定ではなく例として、コンピュータ読み取り可能な媒体は、ＲＡＭ、ＲＯＭ、ＥＥＰＲＯＭ（登録商標）、ＣＤ−ＲＯＭまたは他の光ディスク記憶装置、磁気ディスク記憶装置または他の磁気記憶デバイス、あるいは、命令またはデータ構造の形式で所望のプログラムコード手段を搬送または記憶するために使用されることができ、かつ、汎用コンピュータまたは専用コンピュータあるいは汎用プロセッサまたは専用プロセッサによってアクセスされることができるその他の媒体を備えることができる。また、如何なる接続も、適切にコンピュータ読み取り可能な媒体と称される。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、同軸ケーブル、光ファイバーケーブル、ツイストペア、ＤＳＬ、または赤外線、無線、およびマイクロ波のようなワイヤレス技術は、媒体の定義に含まれる。ここで使用される場合、ディスク（ｄｉｓｋ）およびディスク（ｄｉｓｃ）は、コンパクトディスク（ＣＤ）、レーザーディスク（登録商標）、光ディスク、デジタル多目的ディスク（ＤＶＤ）、フロッピー（登録商標）ディスクおよびブルーレイディスクを含み、ここで、ディスク（ｄｉｓｋｓ）は、通常磁気的にデータを再生し、一方ディスク（ｄｉｓｃｓ）は、レーザーを用いて光学的にデータを再生する。上記の組み合わせもまた、コンピュータ読み取り可能な媒体の範囲内に含まれる。
【００６３】
[0071]  本開示の先の説明は、当業者が本開示を製造するまたは使用することを可能にするために提供されている。本開示への様々な修正は、当業者にとって容易に明らかであろうし、ここに定義された一般的な原理は、本開示の範囲から逸脱することなく、他のバリエーションにも適用され得る。本開示全体にわたって、「例」または「例示的」という用語は、例または事例を示すものであり、言及された例についての如何なる選好を暗に示すものでも必要とするものでもない。従って、本開示は、ここに説明された例および設計に限定されるべきではなく、ここに開示された原理および新規な特徴と一致する最も広い範囲を与えられるべきである。
【図１】
2016532928.tif 000003
【図２】
2016532928.tif 000004
【図３】
2016532928.tif 000005
【図４】
2016532928.tif 000006
【図５】
2016532928.tif 000007
【図６】
2016532928.tif 000008
【図７】
2016532928.tif 000009
【図８】
2016532928.tif 000010
【図９】
2016532928.tif 000011
【手続補正書】
【提出日】平成28年6月8日(2016.6.8)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ワイヤレスドッキングステーションによって、認識されていない周辺機器機能プロトコルＰＦＰを有する周辺デバイスに、少なくとも１つのサービス発見パラメータを要求することと、前記少なくとも１つのサービス発見パラメータは、トランスポートプロトコル識別子またはポート識別子を備え、ここにおいて、前記認識されていないＰＦＰは、前記ワイヤレスドッキングステーションに知られていない、
前記ワイヤレスドッキングステーションにおいて、前記要求することに応答して、前記周辺デバイスから前記少なくとも１つのサービス発見パラメータを受信することと、
前記ワイヤレスドッキングステーションから、サービス発見情報をワイヤレスドッキーに送信することと、前記サービス発見情報は、前記周辺デバイスから受信された前記少なくとも１つのサービス発見パラメータに少なくとも部分的に基づく、
を備える、方法。
【請求項２】
前記ワイヤレスドッキングステーションにおいて、前記少なくとも１つのサービス発見パラメータをリパッケージすることによって、前記サービス発見情報を生成すること
をさらに備える、請求項１に記載の方法。
【請求項３】
前記サービス発見情報に少なくとも部分的に基づいて、前記ワイヤレスドッキーと前記周辺デバイスとの間の接続を容易にすることをさらに備える、請求項１に記載の方法。
【請求項４】
前記認識されていないＰＦＰは、プロプライエタリＰＦＰを備える、請求項１に記載の方法。
【請求項５】
前記周辺デバイスからの前記少なくとも１つのサービス発見パラメータは、前記トランスポートプロトコル識別子と前記ポート識別子との両方を備える、請求項１に記載の方法。
【請求項６】
前記周辺デバイスからの前記少なくとも１つのサービス発見パラメータはさらに、
前記周辺デバイスに関連する認識されていないＰＦＰのＰＦＰ名、前記周辺デバイスに関連する広告識別子、前記周辺デバイスに関連するサービス名、前記周辺デバイスに関連するネットワークアドレス、前記周辺デバイスに関連するアプリケーションサービス情報データ、または前記周辺デバイスに関連するネットワーク役割のうちの少なくとも１つを備える、請求項１に記載の方法。
【請求項７】
ワイヤレスドッキングステーション装置であって、
認識されていない周辺機器機能プロトコルＰＦＰを有する周辺デバイスに、少なくとも１つのサービス発見パラメータを要求するように構成されるパラメータリクエスタと、前記少なくとも１つのサービス発見パラメータは、トランスポートプロトコル識別子またはポート識別子を備え、ここにおいて、前記認識されていないＰＦＰは、前記ワイヤレスドッキングステーションに知られていない、
前記パラメータリクエスタからの要求に応答して、前記周辺デバイスから前記少なくとも１つのサービス発見パラメータを受信するように構成されるパラメータ受信機と、
サービス発見情報をワイヤレスドッキーに送信するように構成される送信機と、前記サービス発見情報は、前記周辺デバイスから受信された前記少なくとも１つのサービス発見パラメータに少なくとも部分的に基づく、
を備える、ワイヤレスドッキングステーション装置。
【請求項８】
前記ワイヤレスドッキングステーション装置において、前記少なくとも１つのサービス発見パラメータをリパッケージすることによって、前記サービス発見情報を生成するように構成されるパラメータリパッケージャをさらに備える、請求項７に記載のワイヤレスドッキングステーション装置。
【請求項９】
前記サービス発見情報に少なくとも部分的に基づいて、前記ワイヤレスドッキーと前記周辺デバイスとの間の接続を容易にするように構成されるアンテナ
をさらに備える、請求項７に記載のワイヤレスドッキングステーション装置。
【請求項１０】
前記認識されていないＰＦＰは、プロプライエタリＰＦＰを備える、請求項７に記載のワイヤレスドッキングステーション装置。
【請求項１１】
ワイヤレスドッキングステーション装置であって、
認識されていない周辺機器機能プロトコルＰＦＰを有する周辺デバイスに、少なくとも１つのサービス発見パラメータを要求するための手段と、前記少なくとも１つのサービス発見パラメータは、トランスポートプロトコル識別子またはポート識別子を備え、ここにおいて、前記認識されていないＰＦＰは、前記ワイヤレスドッキングステーションに知られていない、
要求に応答して、前記周辺デバイスから前記少なくとも１つのサービス発見パラメータを受信するための手段と、
サービス発見情報をワイヤレスドッキーに送信するための手段と、前記サービス発見情報は、前記周辺デバイスから受信された前記少なくとも１つのサービス発見パラメータに少なくとも部分的に基づく、
を備える、ワイヤレスドッキングステーション装置。
【請求項１２】
前記ワイヤレスドッキングステーション装置において、前記少なくとも１つのサービス発見パラメータをリパッケージすることによって、前記サービス発見情報を生成するための手段
をさらに備える、請求項１１に記載のワイヤレスドッキングステーション装置。
【請求項１３】
前記サービス発見情報に少なくとも部分的に基づいて、前記ワイヤレスドッキーと前記周辺デバイスとの間の接続を容易にするための手段
をさらに備える、請求項１１に記載のワイヤレスドッキングステーション装置。
【請求項１４】
前記認識されていないＰＦＰは、プロプライエタリＰＦＰを備える、請求項１１に記載のワイヤレスドッキングステーション装置。
【請求項１５】
前記周辺デバイスからの前記少なくとも１つのサービス発見パラメータは、前記トランスポートプロトコル識別子と前記ポート識別子との両方を備える、請求項１１に記載のワイヤレスドッキングステーション装置。
【請求項１６】
前記周辺デバイスからの前記少なくとも１つのサービス発見パラメータはさらに、前記周辺デバイスに関連する認識されていないＰＦＰのＰＦＰ名、前記周辺デバイスに関連する広告識別子、前記周辺デバイスに関連するサービス名、前記周辺デバイスに関連するネットワークアドレス、前記周辺デバイスに関連するアプリケーションサービス情報データ、または前記周辺デバイスに関連するネットワーク役割のうちの少なくとも１つを備える、請求項１１に記載のワイヤレスドッキングステーション装置。
【請求項１７】
コンピュータプログラム製品であって、
コンピュータ読み取り可能なプログラムコードを組み込んだ非一時的なコンピュータ読み取り可能な媒体を備え、前記コンピュータ読み取り可能なプログラムコードは、少なくとも１つのプロセッサに、
認識されていない周辺機器機能プロトコルＰＦＰを有する周辺デバイスに、少なくとも１つのサービス発見パラメータを要求することと、前記少なくとも１つのサービス発見パラメータは、トランスポートプロトコル識別子またはポート識別子を備え、ここにおいて、前記認識されていないＰＦＰは、前記コンピュータプログラム製品に知られていない、
前記要求に応答して、前記周辺デバイスから前記少なくとも１つのサービス発見パラメータを受信することと、
サービス発見情報をワイヤレスドッキーに送信することと、前記サービス発見情報は、前記周辺デバイスから受信された前記少なくとも１つのサービス発見パラメータに少なくとも部分的に基づく、
を行わせるように構成される、コンピュータプログラム製品。
【請求項１８】
前記コンピュータ読み取り可能なプログラムコードはさらに、
前記少なくとも１つのサービス発見パラメータをリパッケージすることによって、前記サービス発見情報を生成するように構成される、請求項１７に記載のコンピュータプログラム製品。
【請求項１９】
前記コンピュータ読み取り可能なプログラムコードはさらに、
前記サービス発見情報に少なくとも部分的に基づいて、前記ワイヤレスドッキーと前記周辺デバイスとの間の接続を容易にするように構成される、請求項１７に記載のコンピュータプログラム製品。
【請求項２０】
前記認識されていないＰＦＰは、プロプライエタリＰＦＰを備える、請求項１７に記載のコンピュータプログラム製品。
【手続補正２】
【補正対象書類名】明細書
【補正対象項目名】００６３
【補正方法】変更
【補正の内容】
【００６３】
[0071]  本開示の先の説明は、当業者が本開示を製造するまたは使用することを可能にするために提供されている。本開示への様々な修正は、当業者にとって容易に明らかであろうし、ここに定義された一般的な原理は、本開示の範囲から逸脱することなく、他のバリエーションにも適用され得る。本開示全体にわたって、「例」または「例示的」という用語は、例または事例を示すものであり、言及された例についての如何なる選好を暗に示すものでも必要とするものでもない。従って、本開示は、ここに説明された例および設計に限定されるべきではなく、ここに開示された原理および新規な特徴と一致する最も広い範囲を与えられるべきである。
以下に本願の出願当初の特許請求の範囲に記載された発明を付記する。
[Ｃ１]  ワイヤレス通信のための方法であって、
ワイヤレスドッキングステーションによって、認識されていない周辺機器機能プロトコル（ＰＦＰ）を有する周辺デバイスに、少なくとも１つのサービス発見パラメータを要求することと、前記少なくとも１つのサービス発見パラメータは、トランスポートプロトコル識別子またはポート識別子を備える、
前記要求することに応答して、前記周辺デバイスから前記少なくとも１つのサービス発見パラメータを受信することと、
サービス発見情報をワイヤレスドッキーに送信することと、前記サービス発見情報は、前記周辺デバイスから受信された前記少なくとも１つのサービス発見パラメータに少なくとも部分的に基づく、
を備える、方法。
[Ｃ２]  前記ワイヤレスドッキングステーションにおいて、前記少なくとも１つのサービス発見パラメータをリパッケージすることによって、前記サービス発見情報を生成すること
をさらに備える、Ｃ１に記載の方法。
[Ｃ３]  前記サービス発見情報に少なくとも部分的に基づいて、前記ワイヤレスドッキーと前記周辺デバイスとの間の接続を容易にすることをさらに備える、Ｃ１に記載の方法。
[Ｃ４]  前記認識されていないＰＦＰは、プロプライエタリＰＦＰを備える、Ｃ１に記載の方法。
[Ｃ５]  前記周辺デバイスからの前記少なくとも１つのサービス発見パラメータは、前記トランスポートプロトコル識別子と前記ポート識別子との両方を備える、Ｃ１に記載の方法。
[Ｃ６]  前記周辺デバイスからの前記少なくとも１つのサービス発見パラメータはさらに、
前記周辺デバイスに関連する認識されていないＰＦＰのＰＦＰ名、前記周辺デバイスに関連する広告識別子、前記周辺デバイスに関連するサービス名、前記周辺デバイスに関連するネットワークアドレス、前記周辺デバイスに関連するアプリケーションサービス情報データ、または前記周辺デバイスに関連するネットワーク役割のうちの少なくとも１つを備える、Ｃ１に記載の方法。
[Ｃ７]  ワイヤレスドッキングステーション装置であって、
認識されていない周辺機器機能プロトコル（ＰＦＰ）を有する周辺デバイスに、少なくとも１つのサービス発見パラメータを要求するように構成されるパラメータリクエスタと、前記少なくとも１つのサービス発見パラメータは、トランスポートプロトコル識別子またはポート識別子を備える、
前記パラメータリクエスタからの要求に応答して、前記周辺デバイスから前記少なくとも１つのサービス発見パラメータを受信するように構成されるパラメータ受信機と、
サービス発見情報をワイヤレスドッキーに送信するように構成される送信機と、前記サービス発見情報は、前記周辺デバイスから受信された前記少なくとも１つのサービス発見パラメータに少なくとも部分的に基づく、
を備える、ワイヤレスドッキングステーション装置。
[Ｃ８]  前記ワイヤレスドッキングステーション装置において、前記少なくとも１つのサービス発見パラメータをリパッケージすることによって、前記サービス発見情報を生成するように構成されるパラメータリパッケージャをさらに備える、Ｃ７に記載のワイヤレスドッキングステーション装置。
[Ｃ９]  前記サービス発見情報に少なくとも部分的に基づいて、前記ワイヤレスドッキーと前記周辺デバイスとの間の接続を容易にするように構成されるアンテナ
をさらに備える、Ｃ７に記載のワイヤレスドッキングステーション装置。
[Ｃ１０]  前記認識されていないＰＦＰは、プロプライエタリＰＦＰを備える、Ｃ７に記載のワイヤレスドッキングステーション装置。
[Ｃ１１]  ワイヤレスドッキングステーション装置であって、
認識されていない周辺機器機能プロトコル（ＰＦＰ）を有する周辺デバイスに、少なくとも１つのサービス発見パラメータを要求するための手段と、前記少なくとも１つのサービス発見パラメータは、トランスポートプロトコル識別子またはポート識別子を備える、
要求に応答して、前記周辺デバイスから前記少なくとも１つのサービス発見パラメータを受信するための手段と、
サービス発見情報をワイヤレスドッキーに送信するための手段と、前記サービス発見情報は、前記周辺デバイスから受信された前記少なくとも１つのサービス発見パラメータに少なくとも部分的に基づく、
を備える、ワイヤレスドッキングステーション装置。
[Ｃ１２]  前記ワイヤレスドッキングステーション装置において、前記少なくとも１つのサービス発見パラメータをリパッケージすることによって、前記サービス発見情報を生成するための手段
をさらに備える、Ｃ１１に記載のワイヤレスドッキングステーション装置。
[Ｃ１３]  前記サービス発見情報に少なくとも部分的に基づいて、前記ワイヤレスドッキーと前記周辺デバイスとの間の接続を容易にするための手段
をさらに備える、Ｃ１１に記載のワイヤレスドッキングステーション装置。
[Ｃ１４]  前記認識されていないＰＦＰは、プロプライエタリＰＦＰを備える、Ｃ１１に記載のワイヤレスドッキングステーション装置。
[Ｃ１５]  前記周辺デバイスからの前記少なくとも１つのサービス発見パラメータは、前記トランスポートプロトコル識別子と前記ポート識別子との両方を備える、Ｃ１１に記載のワイヤレスドッキングステーション装置。
[Ｃ１６]  前記周辺デバイスからの前記少なくとも１つのサービス発見パラメータはさらに、前記周辺デバイスに関連する認識されていないＰＦＰのＰＦＰ名、前記周辺デバイスに関連する広告識別子、前記周辺デバイスに関連するサービス名、前記周辺デバイスに関連するネットワークアドレス、前記周辺デバイスに関連するアプリケーションサービス情報データ、または前記周辺デバイスに関連するネットワーク役割のうちの少なくとも１つを備える、Ｃ１１に記載のワイヤレスドッキングステーション装置。
[Ｃ１７]  コンピュータプログラム製品であって、
コンピュータ読み取り可能なプログラムコードを組み込んだ非一時的なコンピュータ読み取り可能な媒体を備え、前記コンピュータ読み取り可能なプログラムコードは、少なくとも１つのプロセッサに、
認識されていない周辺機器機能プロトコル（ＰＦＰ）を有する周辺デバイスに、少なくとも１つのサービス発見パラメータを要求することと、前記少なくとも１つのサービス発見パラメータは、トランスポートプロトコル識別子またはポート識別子を備える、
前記要求に応答して、前記周辺デバイスから前記少なくとも１つのサービス発見パラメータを受信することと、
サービス発見情報をワイヤレスドッキーに送信することと、前記サービス発見情報は、前記周辺デバイスから受信された前記少なくとも１つのサービス発見パラメータに少なくとも部分的に基づく、
を行わせるように構成される、コンピュータプログラム製品。
[Ｃ１８]  前記コンピュータ読み取り可能なプログラムコードはさらに、
前記少なくとも１つのサービス発見パラメータをリパッケージすることによって、前記サービス発見情報を生成するように構成される、Ｃ１７に記載のコンピュータプログラム製品。
[Ｃ１９]  前記コンピュータ読み取り可能なプログラムコードはさらに、
前記サービス発見情報に少なくとも部分的に基づいて、前記ワイヤレスドッキーと前記周辺デバイスとの間の接続を容易にするように構成される、Ｃ１７に記載のコンピュータプログラム製品。
[Ｃ２０]  前記認識されていないＰＦＰは、プロプライエタリＰＦＰを備える、Ｃ１７に記載のコンピュータプログラム製品。
【国際調査報告】
2016532928.tif 000012
2016532928.tif 000013
2016532928.tif 000014